【手続補正書】
【提出日】平成22年3月26日(2010.3.26)
【手続補正１】
【補正対象書類名】特許請求の範囲
【補正対象項目名】全文
【補正方法】変更
【補正の内容】
【特許請求の範囲】
【請求項１】
コンテンツ情報を送信する送信機とコンテンツ情報を受信する一以上の受信機とを含む通信システムであって、
前記送信機は、
コンテンツ鍵によって暗号化されたコンテンツ情報と、コンテンツ鍵が第二の鍵によって暗号化された第一信号と、前記受信機に対してモデル単位もしくはメーカ単位で割り振られた第一の鍵によって前記第二の鍵が暗号化された第二信号とを含む送信信号を生成する生成手段と、
前記生成手段で生成された送信信号を送信する送信手段と、
を備え、
前記受信機は、
前記送信手段により送信された送信信号を受信する受信手段と、
前記受信手段により受信された送信信号を当該受信機に割り振られたモデル単位もしくはメーカ単位の前記第一の鍵のうち前記送信機において第二信号を暗号化したものと前記第二の鍵とにしたがって復号することによりコンテンツ情報を再生する再生手段と、
を備えたことを特徴とする通信システム。
【請求項２】
前記受信機が、当該受信機に対して割り振られたモデル単位の前記第一の鍵と、当該受信機に対して割り振られたメーカ単位の前記第一の鍵と、前記第二の鍵とを記憶した記憶手段をさらに備えたことを特徴とする請求項１記載の通信システム。
【請求項３】
モデルを異にする第一の前記受信機と第二の前記受信機とが、各受信機のモデルに基いて割り振られた互いに異なる鍵を、それぞれの前記記憶手段にモデル単位の前記第一の鍵として記憶していること、または、
メーカを異にする第一の前記受信機と第二の前記受信機とが、各受信機のメーカに基いて割り振られた互いに異なる鍵を、それぞれの前記記憶手段にメーカ単位の前記第一の鍵として記憶していることを特徴とする請求項２記載の通信システム。
【請求項４】
コンテンツ情報を送信する送信機とコンテンツ情報を受信する一以上の受信機とを含む通信システムにおいて実行される通信方法であって、
前記送信機が、
コンテンツ鍵によって暗号化されたコンテンツ情報と、コンテンツ鍵が第二の鍵によって暗号化された第一信号と、前記受信機に対してモデル単位もしくはメーカ単位で割り振られた第一の鍵によって前記第二の鍵が暗号化された第二信号とを含む送信信号を生成し、
生成された前記送信信号を送信し、
前記受信機が、
前記送信機により送信された前記送信信号を受信し、
受信した前記送信信号を、当該受信機に割り振られたモデル単位もしくはメーカ単位の前記第一の鍵のうち、前記送信機において第二信号を暗号化したものと前記第二の鍵とにしたがって復号することによりコンテンツ情報を再生する、
ことを特徴とする通信方法。
【手続補正２】
【補正対象書類名】明細書
【補正対象項目名】発明の名称
【補正方法】変更
【補正の内容】
【発明の名称】通信システムおよび通信方法
【手続補正３】
【補正対象書類名】明細書
【補正対象項目名】００１６
【補正方法】変更
【補正の内容】
【００１６】
上述した課題を解決し、上記目的を達成するため、本発明に係る地上デジタル放送システムは、地上波を用いて放送局と１以上の受信機との間でデジタル放送を行う地上デジタル放送システムであって、前記放送局（図１：放送局５Ａ）は、権利保護のための暗号情報と暗号化された放送信号とを重畳して送信信号を生成する生成手段と、前記生成手段で生成された送信信号を地上波を用いて送信する送信手段と、を備え、前記受信機（図１：受信機６Ａ）は、前記地上デジタル放送システムのために供給される１以上の受信機に対して所定の単位で割り振られ、かつ暗号化された送信信号を復号化するための復号情報をあらかじめ記憶しておく記憶手段（図４：ＦＲＡＭ６３５Ａ、ＲＯＭ６３６Ａ）と、前記送信手段により送信された送信信号を受信する受信手段と、前記受信手段により受信された送信信号を前記記憶手段に記憶された復号情報にしたがって復号することにより放送信号を再生する再生手段（図４：暗号化ＭＰＥＧパケット復号６２２２Ａ）と、を備えたことを特徴とする。
【手続補正４】
【補正対象書類名】明細書
【補正対象項目名】００１７
【補正方法】変更
【補正の内容】
【００１７】
この本発明によれば、放送局においては、権利保護のための暗号情報と暗号化された放送信号とを重畳した送信信号を生成し、その送信信号を地上波を用いて送信し、受信機においては、地上デジタル放送システムのために供給される１以上の受信機に対して所定の単位で割り振られ、かつ暗号化された送信信号を復号化するための復号情報をあらかじめ記憶しておき、放送局から送信されてきた送信信号を復号情報にしたがって復号することにより放送信号を再生するようにしたので、簡易な構成かつ安価な権利保護機能により地上デジタル放送を実現することが可能である。
【手続補正５】
【補正対象書類名】明細書
【補正対象項目名】００１８
【補正方法】変更
【補正の内容】
【００１８】
また、本発明に係る地上デジタル放送システムは、地上波を用いて放送局と１以上の受信機との間でデジタル放送を行う地上デジタル放送システムであって、前記放送局（図７：放送局５Ｃ）は、権利保護のための暗号情報と暗号化された放送信号とを重畳して送信信号を生成する生成手段と、前記生成手段で生成された送信信号を地上波を用いて送信する送信手段と、前記受信機（図７：受信機６Ｃ）からユーザ個別暗号情報を受信した場合に前記受信機に対してユーザ個別にサービス情報を送信する個別送信手段と、を備え、前記受信機は、前記地上デジタル放送システムのために供給される１以上の受信機に対して所定の単位で割り振られ、暗号化された送信信号を復号化するための復号情報およびユーザ個別暗号情報をあらかじめ記憶しておく記憶手段と、前記送信手段により送信された送信信号を受信する受信手段と、前記受信手段により受信された送信信号を前記記憶手段に記憶された復号情報にしたがって復号することにより放送信号を再生する再生手段と、前記放送局に対して前記記憶手段に記憶されたユーザ個別暗号情報を送信して前記放送局より返信されるユーザ個別のサービス情報を受信する個別受信手段と、を備えたことを特徴とする。
【手続補正６】
【補正対象書類名】明細書
【補正対象項目名】００１９
【補正方法】変更
【補正の内容】
【００１９】
この本発明によれば、放送局により、権利保護のための暗号情報と暗号化された放送信号とを重畳した送信信号が生成され、その送信信号が地上波を用いて送信され、受信機からユーザ個別暗号情報が受信された場合に受信機に対してユーザ個別にサービス情報が送信され、受信機により、地上デジタル放送システムのために供給される１以上の受信機に対して所定の単位で割り振られ、暗号化された送信信号を復号化するための復号情報およびユーザ個別暗号情報があらかじめ記憶されており、放送局から送信された送信信号が受信されると、その送信信号を復号情報にしたがって復号することにより放送信号が再生され、放送局に対してユーザ個別暗号情報が送信されると、放送局より返信されるユーザ個別のサービス情報が受信されるようにしたので、簡易な構成かつ安価な権利保護機能を実現して、放送局から受信機に対して、サービス要求に応じて個別ユーザ毎のサービスを提供することが可能である。
【手続補正７】
【補正対象書類名】明細書
【補正対象項目名】００２０
【補正方法】変更
【補正の内容】
【００２０】
本発明は、前記放送局は、前記各受信機の復号情報を更新する場合、新旧の復号情報を多重化した放送信号を送信し、前記受信機は、前記記憶手段（図１６：ＦＲＡＭ６３２Ｆ）に記憶された復号情報と前記放送局から送信されてきた放送信号の新旧の復号情報とを照合して新規の復号情報に更新するようにしてもよい。
【手続補正８】
【補正対象書類名】明細書
【補正対象項目名】００２１
【補正方法】変更
【補正の内容】
【００２１】
この本発明によれば、各受信機の復号情報を更新する場合、放送局より新旧の復号情報を多重化した放送信号が送信され、受信機により復号情報と前記放送局から送信されてきた放送信号の新旧の復号情報とが照合されて新規の復号情報への更新が行われるようにしたので、受信機に対して復号情報の新旧を区別させることができ、これにより、受信機において最新の復号情報に更新させることが可能である。
【手続補正９】
【補正対象書類名】明細書
【補正対象項目名】００２２
【補正方法】変更
【補正の内容】
【００２２】
本発明は、前記放送局から前記各受信機に対して復号情報の更新を通知する場合には、ユーザ毎にあらかじめ決められた固有の暗号情報であって、放送信号を暗号化する暗号情報を暗号化する暗号情報により暗号化された認証情報（図１８：認証情報）を送信信号に混在させるようにしてもよい。
【手続補正１０】
【補正対象書類名】明細書
【補正対象項目名】００２３
【補正方法】変更
【補正の内容】
【００２３】
この本発明によれば、放送局から各受信機に対して復号情報の更新が通知される場合には、ユーザ毎にあらかじめ決められた固有の暗号情報であって、放送信号を暗号化する暗号情報を暗号化する暗号情報により暗号化された認証情報が送信信号に混在されるようにしたので、権利保護ＬＳＩにおいて受信される情報の正当性を確認することが可能である。
【手続補正１１】
【補正対象書類名】明細書
【補正対象項目名】００２４
【補正方法】変更
【補正の内容】
【００２４】
本発明は、前記放送局は、送信信号に時刻情報（図２０：時刻情報）を挿入しており、前記受信機は、前記挿入された時刻情報を参照して、連続する一定時間以内に所定の復号情報の更新がない場合には、前記所定の復号情報を無効にするようにしてもよい。
【手続補正１２】
【補正対象書類名】明細書
【補正対象項目名】００２５
【補正方法】変更
【補正の内容】
【００２５】
この本発明によれば、受信機においては、放送局で送信信号に挿入された時刻情報が参照されて、連続する一定時間以内に所定の復号情報の更新がない場合には、所定の復号情報を無効にするようにしたので、受信機の権利保護ＬＳＩの安全性を確保し、一定時間以内に復号情報の更新を行うことを担保することが可能である。
【手続補正１３】
【補正対象書類名】明細書
【補正対象項目名】００２６
【補正方法】変更
【補正の内容】
【００２６】
また、本発明に係る地上デジタル放送権利保護装置は、放送局からの地上波によるデジタル放送を受信処理する地上デジタル放送権利保護装置（図１：受信機６Ａ、図６：受信機６Ｂ）であって、前記地上デジタル放送システムのために供給される１以上の受信機に対して所定の単位で割り振られ、かつ暗号化された送信信号を復号化するための復号情報をあらかじめ記憶しておく記憶手段（図４：ＦＲＡＭ６３５Ａ、ＲＯＭ６３６Ａ）と、権利保護のための暗号情報と暗号化された放送信号とが重畳された送信信号を受信する受信手段（図２：受信機本体６２）と、前記受信手段により受信された送信信号を前記記憶手段に記憶された復号情報にしたがって復号することにより放送信号を再生する再生手段（図２：受信機本体６２、権利保護ＬＳＩ６３Ａ）と、を備えたことを特徴とする。
【手続補正１４】
【補正対象書類名】明細書
【補正対象項目名】００２７
【補正方法】変更
【補正の内容】
【００２７】
この本発明によれば、地上デジタル放送システムのために供給される１以上の受信機に対して所定の単位で割り振られ、かつ暗号化された送信信号を復号化するための復号情報をあらかじめ記憶しておき、権利保護のための暗号情報と暗号化された放送信号とが重畳された送信信号を受信して、その受信された送信信号を復号情報にしたがって復号することにより放送信号を再生するようにしたので、簡易な構成かつ安価な権利保護機能により地上デジタル放送を受信することが可能である。
【手続補正１５】
【補正対象書類名】明細書
【補正対象項目名】００２８
【補正方法】変更
【補正の内容】
【００２８】
また、本発明に係る地上デジタル放送権利保護装置は、放送局からの地上波によるデジタル放送を受信処理する地上デジタル放送権利保護装置（図７：受信機６Ｃ）であって、前記地上デジタル放送システムのために供給される１以上の受信機に対して所定の単位で割り振られ、暗号化された送信信号を復号化するための復号情報およびユーザ個別暗号情報をあらかじめ記憶しておく記憶手段と、前記放送局から送信された信号であって、権利保護のための暗号情報と暗号化された放送信号とが重畳された送信信号を受信する受信手段と、前記受信手段により受信された送信信号を前記記憶手段に記憶された復号情報にしたがって復号することにより放送信号を再生する再生手段（図８：権利保護ＬＳＩ６３Ｃ）と、前記放送局に対して前記記憶手段に記憶されたユーザ個別暗号情報を送信して前記放送局より返信されるユーザ個別のサービス情報を受信する個別受信手段（図８：権利保護ＬＳＩ６３Ｃ）と、を備えたことを特徴とする。
【手続補正１６】
【補正対象書類名】明細書
【補正対象項目名】００２９
【補正方法】変更
【補正の内容】
【００２９】
この本発明によれば、地上デジタル放送システムのために供給される１以上の受信機に対して所定の単位で割り振られ、暗号化された送信信号を復号化するための復号情報およびユーザ個別暗号情報をあらかじめ記憶しておき、放送局から送信された信号であって、権利保護のための暗号情報と暗号化された放送信号とが重畳された送信信号を受信し、その受信された送信信号を復号情報にしたがって復号することにより放送信号を再生し、放送局に対してユーザ個別暗号情報を送信して放送局より返信されるユーザ個別のサービス情報を受信するようにしたので、簡易な構成かつ安価な権利保護機能を実現して、サービス要求に対して個別ユーザ毎のサービスを享受することが可能である。
【手続補正１７】
【補正対象書類名】明細書
【補正対象項目名】００３０
【補正方法】変更
【補正の内容】
【００３０】
本発明は、前記受信手段により前記放送局から送信された新旧の復号情報を多重化した放送信号（図１５：ＭＰＥＧ  Ｋｗ更新パケット）が受信された場合、前記記憶手段に記憶された復号情報と前記放送局から送信されてきた放送信号の新旧の復号情報とを照合して旧復号情報の一致にしたがって新復号情報への更新を行う更新手段をさらに有するようにしてもよい。
【手続補正１８】
【補正対象書類名】明細書
【補正対象項目名】００３１
【補正方法】変更
【補正の内容】
【００３１】
この本発明によれば、放送局から送信された新旧の復号情報を多重化した放送信号が受信された場合、復号情報と放送局から送信されてきた放送信号の新旧の復号情報とを照合して旧復号情報の一致にしたがって新復号情報への更新を行うようにしたので、復号情報の新旧を区別して最新の復号情報に更新することが可能である。
【手続補正１９】
【補正対象書類名】明細書
【補正対象項目名】００３２
【補正方法】変更
【補正の内容】
【００３２】
本発明は、前記更新手段（図１６：プロセッサ６３１Ｆ）は、照合により旧復号情報の一致が確認できなかった場合、復号情報の不存在による視聴不能を報知するようにしてもよい。
【手続補正２０】
【補正対象書類名】明細書
【補正対象項目名】００３３
【補正方法】変更
【補正の内容】
【００３３】
この本発明によれば、照合により旧復号情報の一致が確認できなかった場合、復号情報の不存在による視聴不能を報知するようにしたので、視聴者による視聴不能の確認を支援することが可能である。
【手続補正２１】
【補正対象書類名】明細書
【補正対象項目名】００３４
【補正方法】変更
【補正の内容】
【００３４】
本発明は、更新対象の復号情報は、前記送信信号のうち暗号化された放送信号と当該放送信号を暗号化した暗号情報を復号化するワーク鍵を含むようにしてもよい。
【手続補正２２】
【補正対象書類名】明細書
【補正対象項目名】００３５
【補正方法】変更
【補正の内容】
【００３５】
この本発明によれば、更新対象の復号情報は、送信信号のうち暗号化された放送信号とこの放送信号を暗号化した暗号情報を復号化するワーク鍵を含むようにしたので、権利保護機能のコストを必要最小限に抑えることが可能である。
【手続補正２３】
【補正対象書類名】明細書
【補正対象項目名】００３６
【補正方法】変更
【補正の内容】
【００３６】
以上説明したように、本発明によれば、放送局においては、権利保護のための暗号情報と暗号化された放送信号とを重畳した送信信号を生成し、その送信信号を地上波を用いて送信し、受信機においては、地上デジタル放送システムのために供給される１以上の受信機に対して所定の単位で割り振られ、かつ暗号化された送信信号を復号化するための復号情報をあらかじめ記憶しておき、放送局から送信されてきた送信信号を復号情報にしたがって復号することにより放送信号を再生するようにしたので、簡易な構成かつ安価な権利保護機能により地上デジタル放送を実現することが可能な地上デジタル放送システムが得られるという効果を奏する。
【手続補正２４】
【補正対象書類名】明細書
【補正対象項目名】００３７
【補正方法】変更
【補正の内容】
【００３７】
また、本発明によれば、放送局により、権利保護のための暗号情報と暗号化された放送信号とを重畳した送信信号が生成され、その送信信号が地上波を用いて送信され、受信機からユーザ個別暗号情報が受信された場合に受信機に対してユーザ個別にサービス情報が送信され、受信機により、地上デジタル放送システムのために供給される１以上の受信機に対して所定の単位で割り振られ、暗号化された送信信号を復号化するための復号情報およびユーザ個別暗号情報があらかじめ記憶されており、放送局から送信された送信信号が受信されると、その送信信号を復号情報にしたがって復号することにより放送信号が再生され、放送局に対してユーザ個別暗号情報が送信されると、放送局より返信されるユーザ個別のサービス情報が受信されるようにしたので、簡易な構成かつ安価な権利保護機能を実現して、放送局から受信機に対して、サービス要求に応じて個別ユーザ毎のサービスを提供することが可能な地上デジタル放送システムが得られるという効果を奏する。
【手続補正２５】
【補正対象書類名】明細書
【補正対象項目名】００３８
【補正方法】変更
【補正の内容】
【００３８】
また、本発明によれば、各受信機の復号情報を更新する場合、放送局より新旧の復号情報を多重化した放送信号が送信され、受信機により復号情報と前記放送局から送信されてきた放送信号の新旧の復号情報とが照合されて新規の復号情報への更新が行われるようにしたので、受信機に対して復号情報の新旧を区別させることができ、これにより、受信機において最新の復号情報に更新させることが可能な地上デジタル放送システムが得られるという効果を奏する。
【手続補正２６】
【補正対象書類名】明細書
【補正対象項目名】００３９
【補正方法】変更
【補正の内容】
【００３９】
また、本発明によれば、放送局から各受信機に対して復号情報の更新が通知される場合には、ユーザ毎にあらかじめ決められた固有の暗号情報であって、放送信号を暗号化する暗号情報を暗号化する暗号情報により暗号化された認証情報が送信信号に混在されるようにしたので、権利保護ＬＳＩにおいて受信される情報の正当性を確認することが可能な地上デジタル放送システムが得られるという効果を奏する。
【手続補正２７】
【補正対象書類名】明細書
【補正対象項目名】００４０
【補正方法】変更
【補正の内容】
【００４０】
また、本発明によれば、受信機においては、放送局で送信信号に挿入された時刻情報が参照されて、連続する一定時間以内に所定の復号情報の更新がない場合には、所定の復号情報を無効にするようにしたので、受信機の権利保護ＬＳＩの安全性を確保し、一定時間以内に復号情報の更新を行うことを担保することが可能な地上デジタル放送システムが得られるという効果を奏する。
【手続補正２８】
【補正対象書類名】明細書
【補正対象項目名】００４１
【補正方法】変更
【補正の内容】
【００４１】
また、本発明によれば、地上デジタル放送システムのために供給される１以上の受信機に対して所定の単位で割り振られ、かつ暗号化された送信信号を復号化するための復号情報をあらかじめ記憶しておき、権利保護のための暗号情報と暗号化された放送信号とが重畳された送信信号を受信して、その受信された送信信号を復号情報にしたがって復号することにより放送信号を再生するようにしたので、簡易な構成かつ安価な権利保護機能により地上デジタル放送を受信することが可能な地上デジタル放送権利保護装置が得られるという効果を奏する。
【手続補正２９】
【補正対象書類名】明細書
【補正対象項目名】００４２
【補正方法】変更
【補正の内容】
【００４２】
また、本発明によれば、地上デジタル放送システムのために供給される１以上の受信機に対して所定の単位で割り振られ、暗号化された送信信号を復号化するための復号情報およびユーザ個別暗号情報をあらかじめ記憶しておき、放送局から送信された信号であって、権利保護のための暗号情報と暗号化された放送信号とが重畳された送信信号を受信し、その受信された送信信号を復号情報にしたがって復号することにより放送信号を再生し、放送局に対してユーザ個別暗号情報を送信して放送局より返信されるユーザ個別のサービス情報を受信するようにしたので、簡易な構成かつ安価な権利保護機能を実現して、サービス要求に対して個別ユーザ毎のサービスを享受することが可能な地上デジタル放送権利保護装置が得られるという効果を奏する。
【手続補正３０】
【補正対象書類名】明細書
【補正対象項目名】００４３
【補正方法】変更
【補正の内容】
【００４３】
また、本発明によれば、放送局から送信された新旧の復号情報を多重化した放送信号が受信された場合、復号情報と放送局から送信されてきた放送信号の新旧の復号情報とを照合して旧復号情報の一致にしたがって新復号情報への更新を行うようにしたので、復号情報の新旧を区別して最新の復号情報に更新することが可能な地上デジタル放送権利保護装置が得られるという効果を奏する。
【手続補正３１】
【補正対象書類名】明細書
【補正対象項目名】００４４
【補正方法】変更
【補正の内容】
【００４４】
また、本発明によれば、照合により旧復号情報の一致が確認できなかった場合、復号情報の不存在による視聴不能を報知するようにしたので、視聴者による視聴不能の確認を支援することが可能な地上デジタル放送権利保護装置が得られるという効果を奏する。
【手続補正３２】
【補正対象書類名】明細書
【補正対象項目名】００４５
【補正方法】変更
【補正の内容】
【００４５】
また、本発明によれば、更新対象の復号情報は、送信信号のうち暗号化された放送信号とこの放送信号を暗号化した暗号情報を復号化するワーク鍵を含むようにしたので、権利保護機能のコストを必要最小限に抑えることが可能な地上デジタル放送権利保護装置が得られるという効果を奏する。